(57)【要約】【課題】コンベヤベルトを更生する場合、バフ掛け作業を行うことにより切削屑を含む粉状物の舞い上がりが不可避であり、その上、コンベヤベルトは長いので、バフ掛け作業をしなければならない作業工数上の問題があった。【解決手段】コンベヤベルト１５から刃物を用いた切除方法により摩耗したカバーゴム１５ａを切除して、台ベルト１１にカバーゴム切除面１１ａを形成し、新たなカバーゴムとする加硫済み板ゴム１３の、カバーゴム切除面１１ａに接合される面を、刃物を用いた切除方法と同一の方法によって切除して板ゴム接合面１３ａとし、カバーゴム切除面１１ａに、未加硫のゴム部材１２を介して板ゴム接合面１３ａを、接合面をもって重ね合わせることで、台ベルト１１に加硫済み板ゴム１３を積層し、台ベルト１１に加硫済み板ゴム１３を積層したまま加硫成形して、台ベルト１１と加硫済み板ゴム１３とを一体化させる。【選択図】図２
2012144324.tif 000002
【特許請求の範囲】
【請求項１】
搬送面を形成するカバーゴムが摩耗した場合、摩耗したカバーゴムの代わりに加硫済みの新たな板ゴムを用いてコンベヤベルトを更生する再生コンベヤベルトの製造方法において、
コンベヤベルトに長手方向の張力を加えるとともに、カバーゴムに切り込ませた刃物をコンベヤベルトの幅方向に変位させながら、コンベヤベルト又は刃物をコンベヤベルトの長手方向に相対変位させて磨耗したカバーゴムを切除して、台ベルトに新たなカバーゴム切除面を形成し、
次いで、新たなカバーゴムとする加硫済み板ゴムの、前記カバーゴム切除面に接合される面を、前記刃物を用いた切除方法と同一の方法によって切除してなる板ゴム接合面とし、
前記カバーゴム切除面に、未加硫のゴム部材を介して前記板ゴムを、前記接合面をもって重ね合わせることで、前記台ベルトに前記加硫済み板ゴムを積層し、
前記台ベルトに前記加硫済み板ゴムを積層したまま加硫成形して、前記台ベルトと前記加硫済み板ゴムとを、未加硫のゴム部材の架橋反応によって一体化させる
ことを特徴とする再生コンベヤベルトの製造方法。
【請求項２】
前記カバーゴム切除面及び前記板ゴム接合面のそれぞれを、前記刃物でできた微小な凹凸がベルト長手方向および幅方向に沿って形成されている、適度の平面粗度からなる平滑面であることを特徴とする請求項１に記載の再生コンベヤベルトの製造方法。
【請求項３】
前記未加硫のゴム部材を、接着ゴム或いは粘着ゴムで構成することを特徴とする請求項１または２に記載の再生コンベヤベルトの製造方法。
【発明の詳細な説明】
【技術分野】
【０００１】
この発明は、摩耗したカバーゴムを新しいカバーゴムに取り替えてコンベヤベルトを更生する、再生コンベヤベルトの製造方法に関するものである。
【背景技術】
【０００２】
従来、鉱石その他の被搬送物の搬送によってカバーゴムが摩耗した際、摩耗したカバーゴムを取り除いて新しいカバーゴムに取り替えることによりコンベヤベルトを更生する方法としては、例えば、特許文献１に記載された方法が知られている。
この方法は、摩耗したベルト表面のカバーゴム層をカッターで切削除去した後、バフロールで切削屑を除くとともに研削し、続いて、清掃用エアにより研削面の細片までを完全に吹き払い、そして、研削した面に、有機溶剤を含むゴムセメントなどを塗布ロールにより塗布し、次いで、補修用ゴム板巻きドラムから、切削した、ベルトのカバーゴム層と同一幅の補修用ゴム板をゴムセメント塗布面に載せ、最後に、加圧ロールによってそのゴム板を加圧接着することにより、コンベヤベルトを再生している。
【先行技術文献】
【特許文献】
【０００３】
【特許文献１】特開平０１-１５０６０９号公報
【発明の概要】
【発明が解決しようとする課題】
【０００４】
しかしながら、従来のこのコンベヤベルト再生方法にあっては、ゴムセメントなどを塗布する塗布面に対する、その接着剤の十分な接着力を確保するための凹凸面を形成するべく、摩耗したカバーゴム層の切削除去後に、台ベルトにバフ掛け作業を行うことが必要であることから、コンベヤベルトの更生に当たっての、バフ掛け作業に起因する切削屑を含む粉状物の舞い上がりが不可避であり、その上、コンベヤベルトは長いので、長時間バフ掛け作業をしなければならないという作業工数上の問題があった。
つまり、接着力の確保のために行うバフ掛け作業は、作業環境の悪化と併せて、ベルト再生作業の能率の低下を招いていた。
さらに、上記ゴムセメントは有機溶剤を含んでおり、環境面への影響が懸念されていることから、使用量の低減、削減が望まれている。
【０００５】
この発明の目的は、摩耗したカバーゴム層を除去した後のバフ掛け作業、及び有機溶剤を含むゴムセメントの必要なしにコンベヤベルトを更生することができる、再生コンベヤベルトの製造方法を提供することにある。
【課題を解決するための手段】
【０００６】
上記目的を達成するため、この発明に係る再生コンベヤベルトの製造方法は、  搬送面を形成するカバーゴムが摩耗した場合、摩耗したカバーゴムの代わりに加硫済みの新たな板ゴムを用いてコンベヤベルトを更生する再生コンベヤベルトの製造方法において、コンベヤベルトに長手方向の張力を加えるとともに、カバーゴムに切り込ませた刃物をコンベヤベルトの幅方向に変位させながら、コンベヤベルト又は刃物をコンベヤベルトの長手方向に相対変位させて磨耗したカバーゴムを切除して、台ベルトに新たなカバーゴム切除面を形成し、次いで、新たなカバーゴムとする加硫済み板ゴムの、前記カバーゴム切除面に接合される面を、前記刃物を用いた切除方法と同一の方法によって切除してなる板ゴム接合面とし、前記カバーゴム切除面に、未加硫のゴム部材を介して前記板ゴムを、前記接合面をもって重ね合わせることで、前記台ベルトに前記加硫済み板ゴムを積層し、前記台ベルトに前記加硫済み板ゴムを積層したまま加硫成形して、前記台ベルトと前記加硫済み板ゴムとを未加硫ゴム部材の架橋反応によって一体化させることを特徴とする。
【０００７】
ここで好ましくは、前記カバーゴム切除面及び前記板ゴム接合面のそれぞれを、前記刃物でできた微小な凹凸がベルト長手方向および幅方向に沿って形成される、適度の平面粗度、たとえば、Ｒａ≧１μｍの平坦面とする。
また、好ましくは、前記未加硫のゴム部材を、接着ゴム或いは粘着ゴムで構成する。
【発明の効果】
【０００８】
この発明に係る再生コンベヤベルトの製造方法によれば、コンベヤベルトから、刃物を用いた切除方法により摩耗したカバーゴムを切除して、カバーゴム切除後の残余部分である台ベルトにカバーゴム切除面を形成し、新たなカバーゴムとする加硫済み板ゴムの、カバーゴム切除面に接合される面を、カバーゴムを切除したときの刃物を用いた切除方法と同一の方法によって、より好ましくは同一の切除条件で切除してなる板ゴム接合面とし、前記カバーゴム切除面に、未加硫のゴム部材を介して板ゴムを、前記接合面をもって重ね合わせることで、台ベルトに加硫済み板ゴムを積層し、この積層状態を維持したまま加硫成形して、台ベルトと加硫済み板ゴムを一体化させるので、摩耗したカバーゴムを除去した後のバフ掛け作業を必要とせずに、コンベヤベルトを更生して再生コンベヤベルトを製造することができる。
【０００９】
従って、カバーゴムの切除面を研削等して所要の表面粗さを付与するバフ掛け作業は不要になり、コンベヤベルトの更生に際して、切削屑を含む粉状物が舞い上がることがないので、作業環境の悪化を招かず、バフ掛け作業に伴う再生作業の能率低下を有効に防ぐことができる。
また、この発明において、カバーゴム切除面及び板ゴム接合面のそれぞれを、前記刃物でできた微小な凹凸がベルト長手方向および幅方向に沿って形成される、適度の平面粗度からなる平滑面とした場合は、バフ掛け作業を行わなくても、バフ掛け作業を行った場合と同等の接着力を確保して、摩耗したカバーゴムを切除した切削面へのバフ掛け作業等の、切除面を研削等して表面粗さを付与する特別の作業を不要としてなお、未加硫ゴム部材の加硫に基づく、より十分な接着強度を確保することができる。
【００１０】
そしてまた、未加硫のゴム部材を、所要の接着ゴム或いは粘着ゴムで構成したときは、新しいカバーゴムとして、今までコンベヤベルトに用いられていたカバーゴムとは種類の異なるゴムを用いる場合でも、新しいカバーゴムを台ベルトに所期した通りの強度で確実に接合させることができる。
さらに、所期した通りの強度で確実に接合させることが可能となるため、環境面で悪影響を及ぼす、有機溶剤を含むゴムセメントが不要となる。
【図面の簡単な説明】
【００１１】
【図１】この発明の一実施の形態に係る再生コンベヤベルトの製造方法によって更生されたコンベヤベルトの構造を模式的に示す正面図である。
【図２】この発明の一実施の形態に係る製造工程を示し、（ａ）〜（ｄ）は、手順（その一）から手順（その四）の略線正面図である。
【図３】図２に示す摩耗したカバーゴムを、エンドレスに連続する刃物で切除する状態を示す要部斜視図であり、（ａ）は、刃物に対してコンベヤベルトをベルトの長手方向に変位させる場合を示す斜視図であり、（ｂ）は、コンベヤベルトに対して刃物をコンベヤベルトの長手方向に変位させる場合を示す斜視図である。
【図４】図３の変形例であり、コンベヤベルトをその幅方向が垂直方向となるように配置して、摩耗したカバーゴムを板状の刃物で切除する状態を示す要部斜視図であり、（ａ）は、刃物に対してコンベヤベルトをベルトの長手方向に変位させる場合を示す斜視図であり、（ｂ）は、コンベヤベルトに対して刃物をコンベヤベルトの長手方向に変位させる場合を示す斜視図である。
【図５】図３及び図４に示す刃物の刃先を誇張して示す要部斜視図であり、（ａ）は直線状の刃先を備える刃物の斜視図であり、（ｂ）は鋸歯状の刃先を備える刃物の斜視図である。
【発明を実施するための形態】
【００１２】
以下、この発明を実施するための形態について図面を参照して説明する。
この発明の方法に従って更生されたコンベヤベルトの構造を模式的に示す図１において、更生コンベヤベルト１０は、鉱石その他の被搬送物の搬送によって、搬送面を形成するカバーゴムが摩耗した場合、摩耗したカバーゴムを取り除いて摩耗したカバーゴムの代わりに、加硫済みの新たな板ゴムを用いて更生した、コンベヤベルトであり、台ベルト１１と、台ベルト１１に未加硫のゴム部材を介して積層され、加硫成形によって未加硫ゴム部材を架橋させてなるゴム層１２を介して台ベルト１１に一体化された、加硫済み板ゴム１３とを具えてなる。
【００１３】
ここにおいて、台ベルト１１は、コンベヤベルトの搬送面を形成するカバーゴムが摩耗した、更生対象となるコンベヤベルトから、刃物を用いた切除方法により摩耗したカバーゴムを切除したものであり、摩耗したカバーゴムを切除後の残余部分である。
この台ベルト１１には、摩耗したカバーゴムを切除することによって、カバーゴム切除面が形成されており、また、コンベヤベルトの長手方向に沿って、ベルト幅の略全域に渡り、スチールコードや帆布等の芯体１４が埋設配置されている。
未加硫のゴム部材は、台ベルト１１と加硫済み板ゴム１３の間に介装されて、加硫済み板ゴム１３を台ベルト１１に加硫接着させるものであり、例えば、シート状に形成された、スチレン・ブタジエンゴム（ＳＢＲ）をベースとする接着ゴム、或いは天然ゴム（ＮＲ）をベースとする粘着ゴムにて更生することができる。
【００１４】
そして、加硫済み板ゴム１３は、台ベルト１１に一体化させられることにより、摩耗したカバーゴムの代わりに新たなカバーゴムとして機能する、予め加硫された板状のゴムであり、未加硫のゴム部材によって、たとえば台ベルト１１に粘着させて、積層した後の加硫成形で台ベルト１１に一体化される。
ところで、この加硫済み板ゴム１３の、台ベルト１１に形成されたカバーゴム切除面に接合される面には、摩耗したカバーゴムを切除した際の刃物を用いた切除方法と同一の方法によって加硫済み板ゴム１３の一表面を切除することにより、板ゴム接合面が形成されている。
なお、芯体１４の材質や太さ等、加硫済み板ゴム１３の材質や厚さ等は、コンベヤベルトによって搬送される被搬送物の種類、コンベヤベルトの使用環境、コンベヤベルトの大きさ（ベルト幅やベルト長さ等）等に応じて、適宜選択することができる。
【００１５】
このような更生コンベヤベルト１０を製造する再生コンベヤベルトの製造方法を以下に説明する。
図２に示すように、更生コンベヤベルトの製造工程において、先ずは、図２（ａ）に示すように、再生対象コンベヤベルト１５から摩耗したカバーゴム１５ａを、刃物によって切除して、芯体１４を具える台ベルト１１を形成する。
【００１６】
この再生対象コンベヤベルト１５は、図の下面側を、図示しないプーリやローラ等に巻き掛けられて、図の上面側に被搬送物を載置した状態で搬送を繰り返すことにより、搬送面となるカバーゴム１５ａの外表面に、例えば、局所的な凹みとなる摩耗部分が発生するので、はじめに、摩耗部分を含むカバーゴム１５ａの全体を再生対象コンベヤベルト１５から切除する。
このカバーゴム１５ａの切除に際しては、例えば、再生対象コンベヤベルト１５を、プーリ等から取り外すとともに引張力を作用させた状態とし、回転又は往復動する所要の刃物を用いて、再生対象コンベヤベルト１５から摩耗部分を含むカバーゴム１５ａを切除する。
【００１７】
カバーゴム１５ａのこの切除方法は、より具体的には、再生対象コンベヤベルト１５にベルト長手方向の張力を加えた状態とし、摩耗部分を含むカバーゴム１５ａの切除位置（図２（ａ）の破線参照）に切り込ませた刃物１６を、ベルト幅方向に自走させながら、再生対象コンベヤベルト１５をベルトの長手方向に走行させる。
ここで刃物１６は、例えばエンドレスに連続するものとすることができる。図３（ａ）に示すところでは、エンドレスの刃物１６は、その内側に、間隔をおいて配置した２個のプーリＲによって弛み無く張られていて、これらプーリＲの片方或いは双方の回転駆動によって、一方向に連続して走行できるようになっている。一方、再生対象コンベヤベルト１５は、図示しない巻き出し装置から巻き取り装置に向けて、このコンベヤベルト１５の幅方向が水平方向となる水平姿勢として、引張力の作用下で繰り出し走行され、このとき刃物１６は、その変位方向を再生対象コンベヤベルト１５の幅方向とする水平姿勢で配置されている。
【００１８】
上記のように再生対象コンベヤベルト１５と刃物１６を配置して、摩耗した部分を含むカバーゴム１５ａを切除するには、このコンベヤベルト１５の長手方向に張力を加えておき、カバーゴム１５ａに刃物１６を切り込ませて、その刃物１６を再生対象コンベヤベルト１５の幅方向に変位させながら（図中、矢印参照）、再生対象コンベヤベルト１５を巻き出し装置から巻き取り装置に向けて繰り出し走行させる。この時再生対象コンベヤベルト１５は、その長手方向に張力が加えられているので、略水平姿勢のままで送り出すことができるため、刃物１６の直下に再生対象コンベヤベルト１５を下方から支える支持体を設けても、設けなくてもよい。
【００１９】
このようにして摩耗した部分を含むカバーゴム１５ａを切除することで、カバーゴム１５ａの切除残部の切除面１１ａは略水平でかつ適度の平面粗度の平滑面となり、この切除面１１ａには、微小な凹凸が再生対象コンベヤベルト１５の長手方向に沿って形成される。なお、芯体１４が再生対象コンベヤベルト１５の厚み方向に多少波打って埋設されている場合があるため、カバーゴム１５ａの切除位置は、芯体１４の外表面がカバーゴム切除面１１ａに露出しない位置であればよい。
また、図３（ｂ）に示すところでは、図３（ａ）に示した再生対象コンベヤベルト１５の繰り出し走行に代えて、刃物１６を再生対象コンベヤベルト１５の長手方向に変位させる（図中、矢印参照）ことで、摩耗した部分を含むカバーゴム１５ａを切除する。
【００２０】
そしてまた、上記のエンドレスの刃物１６に代えて、往復変位する板状の刃物１７を採用することもできる。この場合、例えば図４（ａ）に示すように、再生対象コンベヤベルト１５を、その幅方向が垂直方向となる垂直姿勢で配置するとともに、刃物１７の往復変位方向が、再生対象コンベヤベルト１５の幅方向となるように、刃物１７を垂直姿勢で配置する。そして、再生対象コンベヤベルト１５に、それの長手方向に張力を加えた状態で、刃物１７の往復変位位置に対して、再生対象コンベヤベルト１５を長手方向に送り出すことで、摩耗した部分を含むカバーゴム１５ａを切除する。またここでは、図４（ｂ）に示すように、刃物１７を、往復変位を伴って再生対象コンベヤベルト１５の長手方向に変位させて、このカバーゴム１５ａを切除することもできる。
【００２１】
ところで、刃物１６，１７の刃先の形状を、図５（ａ）に示すように略直線状とした場合は、カバーゴム１５ａの切除残部の切除面をより平滑にできるとともに、切粉の発生を有効に抑えることができる。一方、刃物１６，１７の刃先の形状を、図５（ｂ）に示すように鋸歯状にすることも可能であり、この場合は切粉が多少発生するものの、カバーゴム１５ａの切除残部の切除面に形成される凹凸をより大きくすることができるので、カバーゴム用の加硫済み板ゴム１３と、カバーゴム１５ａの切除残部との加硫接着を、より強固にすることができる。
【００２２】
なお、図３（ａ）、（ｂ）に示すところにおいて、再生対象コンベヤベルト１５と刃物１６を垂直姿勢としてもよいし、図４（ａ）、（ｂ）に示すところにおいて、再生対象コンベヤベルト１５と刃物１７を水平姿勢としてもよく、これらの姿勢は作業性や他の装置の配置等に応じて適宜選択することができる。
このようにして、再生対象コンベヤベルト１５から、摩耗部分を含むカバーゴム１５ａを切除することにより、芯体１４を具えた台ベルト１１が残り、この台ベルト１１には、切除後の露出面となるカバーゴム切除面１１ａが形成される。このカバーゴム切除面１１ａは、略水平で適度の平面粗度、たとえばＲａ≧１μｍの平坦面となり、この平坦面には、刃物でできた微小な凹凸がベルト長手方向および幅方向に沿って形成されている。
【００２３】
その後は、加硫済み板ゴム１３の、台ベルト１１のカバーゴム切除面１１ａに接合する接合側の表層を、図２（ｂ）に示すように、摩耗部分を含むカバーゴム１５ａを切除した刃物を用いた、その切除方法と同一の方法で、より好ましくは、同一の切除条件の下で切除する。
つまり、加硫済み板ゴム１３に対し、エンドレス走行、回転又は往復動する刃物を板ゴム１３の幅方向に変位させつつ、該板ゴム１３又は刃物を、板ゴム１３の長手方向に相対変位させて、加硫済み板ゴム１３の接合側の表層を薄く切除し、板ゴム接合面１３ａを形成する。
【００２４】
これにより、板ゴム接合面１３ａは、カバーゴム切除面１１ａと同様の形状及び状態、即ち、刃物でできた微小な凹凸が板ゴム１３の長手方向および幅方向に沿って形成されている、略水平で適度の平面粗度からなる平坦面となる。この板ゴム接合面１３ａは、台ベルト１１のカバーゴム切除面１１ａに加硫済み板ゴム１３を接合するときの接合面となる。
【００２５】
次いで、図２（ｃ）に示すように、台ベルト１１のカバーゴム切除面１１ａ上に、未加硫のゴム部材１２ａを配置する。未加硫のゴム部材１２ａを、接着ゴムで構成した場合は、カバーゴム切除面１１ａに接着ゴムが載置された状態になり、粘着ゴムで構成した場合は、カバーゴム切除面１１ａに粘着ゴムが貼着された状態になる。
【００２６】
また、台ベルト１１の、未加硫のゴム部材１２ａが配置されたカバーゴム切除面１１ａ側に、図２（ｄ）に示すように、板ゴム接合面１３ａを対向させた状態で加硫済み板ゴム１３を載置し、カバーゴム切除面１１ａに、未加硫のゴム部材１２ａを介して加硫済み板ゴム１３を重ね合わせた状態にする。
これにより、台ベルト１１と加硫済み板ゴム１３は、相互に対向するカバーゴム切除面１１ａと板ゴム接合面１３ａとの間に未加硫のゴム部材１２ａを挟み込んで、台ベルト１１に加硫済み板ゴム１３を積層した状態になる。
【００２７】
さらには、台ベルト１１に加硫済み板ゴム１３を積層した状態のまま、加熱加圧下で加硫成形することにより、台ベルト１１と加硫済み板ゴム１３は、介在させた未加硫のゴム部材１２ａの架橋反応によって積層状態で一体化する。
この場合、台ベルト１１のカバーゴム切除面１１ａ及び、加硫済み板ゴム１３の板ゴム接合面１３ａのそれぞれには、長手方向および幅方向に沿って微小の同等凹凸が形成されているので、この凹凸に未加硫のゴム部材１２ａが入り込むことに基づき、カバーゴム切除面１１ａと板ゴム接合面１３ａはゴム層１２によって強固に接着されることになる。
これらのことによって、摩耗したカバーゴムの代わりに加硫済み板ゴム１３を有する更生コンベヤベルト１０（図１参照）が製造され、以後は、加硫済み板ゴム１３が新しいカバーゴムとして機能することになる。
【００２８】
ところで、台ベルト１１及び加硫済み板ゴム１３のそれぞれは予め加硫されていることから、台ベルト１１と加硫済み板ゴム１３との加硫接着に当たって、再び加硫されることになるが、コンベヤベルトを更正するに当たっては、コンベヤベルトがこれまで加硫された回数や、コンベヤベルトのゴムの物性等の調査を行い、加硫条件を調整した上で、その加硫接着を行うことで、コンベヤベルトの過度の加硫による性能の低下を抑えることができる。
なお、台ベルト１１に加硫済み板ゴム１３を積層した後、それらを直ちに加硫成形せずに保管する場合は、積層状態で台ベルト１１に加硫済み板ゴム１３を圧着すればよい。このように、ただ重ね合わせるだけではなく、圧力をかけることで密着度が増し、部材同士が剥がれ難く、ずれ難くなる効果がある。
【００２９】
このように、この発明に係る再生コンベヤベルトの製造方法によれば、再生対象コンベヤベルト１５から摩耗部分を含むカバーゴム１５ａを切除して形成した、カバーゴム切除面１１ａを有する台ベルト１１に、未加硫のゴム部材１２ａを用いて加硫済み板ゴム１３を接合することにより、摩耗したカバーゴムを取り除いて新しいカバーゴムに取り替え更生したコンベヤベルト１０を製造することができるが、製造に際して、摩耗カバーゴムの切削面等へのバフ掛け作業を全く不要にすることができる。
【００３０】
つまり、台ベルト１１に新しいカバーゴムを接着する接着部材として接着剤を用いる従来技術とは、接着剤を塗布する接着面に対する接着剤の十分な接着力を確保するための凹凸を形成するべく、摩耗したカバーゴム層の切削除去後にバフ掛け作業を行うことが必要であったが、この発明では、接着面となるカバーゴム切除面１１ａと板ゴム接合面１３ａとのそれぞれは、同一の刃物を用いた同一の切除方法によって形成されて、ともに、適度の平面粗度からなる平坦面になるので、バフ掛け作業を行わなくても、バフ掛け作業を行った場合と略同等の、それらの両面に対する、ゴム層１２の接着力を確保することができる。
【００３１】
従って、摩耗したカバーゴム層を切除した切削面に対する、切削屑を含む粉状物の舞い上がりが不可避であったバフ掛け作業を行うことが不要となり、コンベヤベルトを更生する場合の、作業環境の低下を招かず、コンベヤベルトの再生作業の能率の低下を来たすこともない。更に、再生することを前提とした構成部材の追加、例えば、ベルトカバーゴム内にあらかじめ再生を前提とした剥離しやすくするための部材（帆布など）を挿入しておくこと等、も必要としない。
【００３２】
また、摩耗部分を含むカバーゴム１５ａに代えて、既に加硫処理された加硫済み板ゴム１３を用いて更生コンベヤベルト１０を製造するので、未加硫の生カバーゴムを用いた場合に不可避であった生カバーゴムの日限管理もまた不要とすることができる。
また、台ベルト１１と加硫済み板ゴム１３の接合に、接着ゴム或いは粘着ゴムを使用するときは、加硫済み板ゴム１３として、台ベルト１１に用いられているゴムとは種類の異なるゴムを用いた場合でも、加硫済み板ゴム１３を台ベルト１１に確実に接合することができる。特に、粘着ゴムを使用した場合は、台ベルト１１に粘着ゴムを介して加硫済み板ゴム１３を積層することで、粘着ゴムに固有の粘着力によってその積層状態を十分に維持することができるので、未加硫状態のままでも、相互の位置ずれなしに保管することができる。
【符号の説明】
【００３３】
１０  再生コンベヤベルト
１１  台ベルト
１１ａ  カバーゴム切除面
１２  ゴム層
１２ａ  未加硫のゴム部材
１３  加硫済みカバーゴム
１３ａ  板ゴム接合面
１４  芯体
１５  再生対象コンベヤベルト
１５ａ  摩耗部分を含むカバーゴム
１６，１７  刃物
【図１】
2012144324.tif 000003
【図２】
2012144324.tif 000004
【図３】
2012144324.tif 000005
【図４】
2012144324.tif 000006
【図５】
2012144324.tif 000007